【手続補正書】
【提出日】平成28年3月30日(2016.3.30)
【手続補正１】
【補正対象書類名】明細書
【補正対象項目名】００１８
【補正方法】削除
【補正の内容】
【手続補正２】
【補正対象書類名】明細書
【補正対象項目名】００１９
【補正方法】変更
【補正の内容】
【００１９】
実施の形態により解決される課題は、HOA信号表現の高い空間分解能を維持しつつHOA信号を圧縮することである。この課題は特許請求の範囲に記載されている方法により解決される。本願はそのような方法を利用する装置も開示する。
本発明は、サウンドフィールドの高次アンビソニックスHOA表現を圧縮することに関連する。本願において、「HOA」は高次アンビソニックス表現だけでなく関連するエンコードされる又は表現されるオーディオ信号にも関連する。支配的なサウンド方向が推定され、HOA信号表現は、時間ドメインにおける複数の支配的な方向信号及び関連する方向情報と、HOAドメインにおけるアンビエント成分とに分解され、その後にアンビエント成分は次数を減らすために圧縮される。その分解の後、低次数化されたアンビエント成分は、空間ドメインに変換され、方向信号とともに知覚的符号化の処理に委ねられる。
受信機又はデコーダの側において、エンコードされた方向信号及び低次数化されエンコードされたアンビエント成分は、知覚的圧縮解除の処理に委ねられる。知覚的圧縮解除されたアンビエント信号は、低次数化されたHOAドメイン表現に変換され、その後に次数拡張処理に委ねられる。方向信号及び対応する方向情報、並びに、元々の次数のアンビエントHOA成分から、完全な又は最終的なHOA表現が再構築される。
有利なことに、アンビエントサウンドフィールド成分は、元々の次数より低いHOA表現により十分な精度で表現されることが可能であり、支配的な方向信号の抽出は、圧縮及び圧縮解除の後に、高い空間分解能が達成されることを保証する。
概して一実施形態による方法は、
高次アンビソニックス（ＨＯＡ）信号表現を圧縮する方法であって、
支配的な方向を推定するステップであって、前記支配的な方向は、エネルギが支配的なＨＯＡ信号成分の電力分布方向に依存する、ステップと、
前記ＨＯＡ信号成分を、時間ドメインにおける複数の支配的な方向信号及び関連する方向情報と、ＨＯＡドメインにおける残留アンビエント成分とに分解するステップであって、前記残留アンビエント成分は、前記ＨＯＡ信号表現と前記支配的な方向信号の表現との間の差分を表す、ステップと、
前記残留アンビエント成分の次数を元の次数より減らすことにより、前記残留アンビエント成分を圧縮するステップと、
低次数化された前記残留アンビエント成分を、空間ドメインに変換するステップと、
変換された前記残留アンビエント成分と前記支配的な方向信号とを知覚的に符号化するステップと、
を有する方法である。
概して一実施形態による方法は、
高次アンビソニックス（ＨＯＡ）信号表現を圧縮する方法であって、
支配的な方向を推定するステップであって、前記支配的な方向は、エネルギが支配的なＨＯＡ信号成分の電力分布方向に依存する、ステップと、
前記ＨＯＡ信号成分を、時間ドメインにおける複数の支配的な方向信号及び関連する方向情報と、ＨＯＡドメインにおける残留アンビエント成分とに分解するステップであって、前記残留アンビエント成分は、前記ＨＯＡ信号表現と前記支配的な方向信号の表現との間の差分を表す、ステップと、
前記残留アンビエント成分の次数を元の次数より減らすことにより、前記残留アンビエント成分を圧縮するステップと、
低次数化された前記残留アンビエント成分を、空間ドメインに変換するステップと、
変換された前記残留アンビエント成分と前記支配的な方向信号とを知覚的にエンコードするステップとを有し、
知覚的にエンコードされた支配的な方向信号と、知覚的にエンコードされた変換された残留アンビエント成分とを、知覚的にデコードするステップと、
知覚的にデコードされた変換された残留アンビエント成分を逆変換し、ＨＯＡドメインの表現を取得するステップと、
逆変換された残留アンビエント成分について次数拡張の処理を実行し、元の次数のアンビエントＨＯＡ成分を取得するステップと、
知覚的にデコードされた支配的な方向信号と、前記方向情報と、前記元の次数のアンビエントＨＯＡ成分とを合成し、ＨＯＡ信号表現を取得するステップと、
を有する方法である。
概して一実施形態による装置は、
高次アンビソニックス（ＨＯＡ）信号表現を圧縮する装置であって、
支配的な方向を推定するように形成された手段であって、前記支配的な方向は、エネルギが支配的なＨＯＡ信号成分の電力分布方向に依存する、手段と、
前記ＨＯＡ信号成分を、時間ドメインにおける複数の支配的な方向信号及び関連する方向情報と、ＨＯＡドメインにおける残留アンビエント成分とに分解するように形成された手段であって、前記残留アンビエント成分は、前記ＨＯＡ信号表現と前記支配的な方向信号の表現との間の差分を表す、手段と、
前記残留アンビエント成分の次数を元の次数より減らすことにより、前記残留アンビエント成分を圧縮するように形成された手段と、
低次数化された前記残留アンビエント成分を、空間ドメインに変換するように形成された手段と、
変換された前記残留アンビエント成分と前記支配的な方向信号とを知覚的に符号化するように形成された手段と、
を有する装置である。
概して一実施形態による装置は、
高次アンビソニックス（ＨＯＡ）信号表現を圧縮する装置であって、
支配的な方向を推定するように形成された手段であって、前記支配的な方向は、エネルギが支配的なＨＯＡ信号成分の電力分布方向に依存する、手段と、
前記ＨＯＡ信号成分を、時間ドメインにおける複数の支配的な方向信号及び関連する方向情報と、ＨＯＡドメインにおける残留アンビエント成分とに分解するように形成された手段であって、前記残留アンビエント成分は、前記ＨＯＡ信号表現と前記支配的な方向信号の表現との間の差分を表す、手段と、
前記残留アンビエント成分の次数を元の次数より減らすことにより、前記残留アンビエント成分を圧縮するように形成された手段と、
低次数化された前記残留アンビエント成分を、空間ドメインに変換するように形成された手段と、
変換された前記残留アンビエント成分と前記支配的な方向信号とを知覚的に符号化するように形成された手段とを有し、
知覚的にエンコードされた支配的な方向信号と、知覚的にエンコードされた変換された残留アンビエント成分とを、知覚的にデコードするように形成された手段と、
知覚的にデコードされた変換された残留アンビエント成分を逆変換し、ＨＯＡドメインの表現を取得するように形成された手段と、
逆変換された残留アンビエント成分について次数拡張の処理を実行し、元の次数のアンビエントＨＯＡ成分を取得するように形成された手段と、
知覚的にデコードされた支配的な方向信号と、前記方向情報と、前記元の次数のアンビエントＨＯＡ成分とを合成し、ＨＯＡ信号表現を取得するように形成された手段と、
を有する装置である。
【手続補正３】
【補正対象書類名】明細書
【補正対象項目名】００２１
【補正方法】削除
【補正の内容】
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】